(57)【特許請求の範囲】
【請求項１】
計測の対象となる複数のシート片が縦方向及び横方向に並列されて一体にシート状に構成された集合シートが載置されるプレート部と、
前記プレート部上の前記集合シートが載置される載置部位の前記縦方向における端部近傍に配され、前記横方向の前記シート片の列数を示す列目盛表示部と、
前記載置部位の前記横方向における端部に配され、前記縦方向の前記シート片の行数を示す行目盛表示部と、を備え、
前記プレート部上の前記載置部位の端縁において上方向に突出して形成され、前記シート集合体の位置を規制する規制部材を備えたことを特徴とする媒体数計測装置。
【請求項２】
計測の対象となる複数のシート片が縦方向及び横方向に並列されて一体にシート状に構成された集合シートが載置されるプレート部と、
前記プレート部上の前記集合シートが載置される載置部位の前記縦方向における端部近傍に配され、前記横方向の前記シート片の列数を示す列目盛表示部と、
前記載置部位の前記横方向における端部に配され、前記縦方向の前記シート片の行数を示す行目盛表示部と、を備え、
複数の数字を表示する数字表示部と、前記数字表示部のいずれかの数字を選択指定する数字指定機構とを有する数字指定部と、を備えたことを特徴とする媒体数計測装置。
【請求項３】
前記数字表示部は、前記行目盛表示部または前記列目盛表示部であって、前記数字指定機構は、前記行目盛表示部または前記列目盛表示部に表示された数字のいずれかを指示することを特徴とする請求項２記載の媒体数計測装置。
【請求項４】
前記載置部位は矩形状を成し、
前記目盛表示部は、前記載置部位の、一対の縦方向の端縁及び一対の横方向の端縁にそれぞれ形成されたことを特徴とする請求項１乃至３のいずれか記載の媒体数計測装置。
【請求項５】
前記集合シートは、前記シート片毎に切り離し可能であり、前記切り離しによりその外形が変形することを特徴とする請求項１乃至４の何れかに記載の媒体数計測装置。
【請求項６】
請求項２に記載の媒体数計測装置における前記プレート部に、複数枚の前記集合シートを重ねて載置する工程と、
前記数字指示部を操作して重ねた前記集合シートの枚数に応じた数字を指示する工程と、を有することを特徴とする媒体数計測方法。
【発明の詳細な説明】
【技術分野】
【０００１】
本発明は、複数のシート片を一体に有して構成される集合シートについてそのシート片の数を計測するための媒体数計測装置及び集合シートに関する。
【背景技術】
【０００２】
切手や印紙等、複数のシート状のシート片がマトリクス状に並列して一体に形成されるとともに、シート片毎に切り離し可能であるシート状の集合シートが知られている。このような集合シートは、シート片を使用する度に、集合シートの端側から切り離す。したがって使用の度に集合シートの外形が変形する。したがって、シート片毎の枚数を計測する場合、枚数の数え間違いを防止すること、また、迅速に計測する方法が求められている。
【０００３】
これに鑑みて、管理用のファイルを用いる技術が提供されている（例えば、特許文献１または特許文献２参照）。ここでは、表裏二枚のシート体で構成されたファイルのうち、表側のシート体がマトリクス状に区画されシート片に対応した枚数を示す表示がなされ、これら二枚のシート体の間に、計測の対象となる切手シート等の集合シートを挟むことによりシート片の枚数を計測するものである。この他、光センサを装置上に多数配置して、シート片の有無を検出する技術が提供されている（例えば、特許文献３参照）。
【特許文献１】特開２００２−１９８２９号公報
【特許文献２】特許第２９２６０３７号公報
【特許文献３】特開平７−４４６７６号公報
【発明の開示】
【発明が解決しようとする課題】
【０００４】
しかしながら上記技術には以下のような問題があった。すなわち、ファイルを用いる技術においては、シートの一部が使用されて外形が変形すると、ファイルに挟み難くなるという問題がある。また、枚数計測用の数字は、ファイルにマトリクス状に表示されているため、媒体の切り離しの順序や方向が限定され、これと異なる順序または方向で切り離した場合には適切に計測できないという問題がある。また、光センサを用いる装置は構造が複雑となり装置が高額であるという問題がある。
【０００５】
したがって本発明の目的は、単純な構成で、かつ使用により集合シートが変形した場合にも適切に計測することができる媒体数計測装置及び集合シートを提供することにある。
【課題を解決するための手段】
【０００６】
本発明の一例にかかる媒体数計測装置は、計測の対象となる複数のシート片が縦方向及び横方向に並列されて一体にシート状に構成された集合シートが載置されるプレート部と、前記プレート部上の前記集合シートが載置される載置部位の前記縦方向における端部近傍に配され、前記横方向の前記シート片の列数を示す列目盛表示部と、前記載置部位の前記横方向における端部に配され、前記縦方向の前記シート片の行数を示す行目盛表示部と、を備え、前記プレート部上の前記載置部位の端縁において上方向に突出して形成され、前記シート集合体の位置を規制する規制部材を備えたことを特徴とする。
【０００７】
本発明の一例にかかる媒体数計測方法は、媒体数計測装置における前記プレート部に、複数枚の前記集合シートを重ねて載置する工程と、前記数字指示部を操作して重ねた前記集合シートの枚数に応じた数字を指示する工程と、を有することを特徴とする。
【発明の効果】
【０００８】
本発明によれば、単純な構成とすることができるとともに、使用により集合シートが変形した場合にも適切に計測することができる。
【発明を実施するための最良の形態】
【０００９】
以下に本発明の一実施形態に係る集合シート１０及び媒体数計測装置２０について、図１〜図６を参照して説明する。  
まず、計測の対象である集合シート１０について図１に従って説明する。この集合シート１０は、複数のシート状の矩形のシート片１１が縦方向及び横方向にマトリクス状に並列して一体となってシート状に構成されている。シート片１１は、例えば切手や印紙等である。隣り合うシート片１１同士は分離線１２を介して接続されている。すなわち縦方向及び横方向にそれぞれ複数の分離線１２が形成されている。この分離線１２は例えば多数の切り込みが破線状に連なって形成され、この部分を境界として使用者が集合シート１０を手で破ることによりシート片１１毎に切り離すことが可能となっている。したがって、使用の度にシート片１１を切り離すことにより集合シート１０の一部が切り欠かれ、集合シート１０の外形は変形する。この集合シート１０は、例えば初期の状態では縦方向及び横方向にそれぞれ例えば１０列１０行ずつシート片１１が配列されて矩形状のシート状に構成されるが、図１においては、使用により一部分が切り欠かれて段差を有する形状に変形した状態を示している。
【００１０】
図２乃至図４に示す媒体数計測装置２０は、集合シート１０が載置されるプレート部２１と、プレート部２１の上面中央部分をマトリクス状に区画する境界線２１ａと、プレート部２１の周縁にそれぞれ設けられた位置決め用の規制部材２２と、プレート部２１の横方向の両端において縦方向に数字が並列して表示された行目盛部２３，２４と、プレート部２１の縦方向の両端において、横方向に数字が並列して表示された列目盛部２５，２６と、一方側の行目盛部２４において数字を指示可能な数字指定機構２７と、を備えている。
【００１１】
プレート部２１は、平面を構成する上面２１ｂを有し、この上面２１ｂの中央部分の矩形の載置部位２１ｃに集合シート１０が載置される。境界線２１ａは、縦方向及び横方向にそれぞれ複数本の直線が表示され、対象となるシート片１１の形状に沿うように配されて、載置部位２１ｃをシート片１１に対応するように区画している。
【００１２】
規制部材２２は、縦方向の両端及び横方向の両端にそれぞれ形成され、４つの規制部材２２で矩形の枠状を構成して載置部位２１ｃを囲むように配置されている。４つの規制部材２２はそれぞれ上方向に突出する突起状に構成され、内側、すなわち載置部位２１ｃ側にテーパ面２２ａを有している。このため、シート状の集合シート１０が上方から載置される際に載置部位２１ｃに配置されるようにその位置を規制する。
【００１３】
行目盛部２３，２４、及び列目盛部２５，２６は、それぞれ載置部位２１ｃよりも外周側に配置されて、一端側から他端側に向かって、シート片１１の形状に応じた所定の間隔で、所定の数までの数字が順番に記載されている。集合シート１０が載置部位２１ｃに載置されると、その周縁近傍の行目盛部２３，２４によりシート片１１の行数がわかり、列目盛部２５，２６によりシート片１１の列数がわかるようになっている。
【００１４】
ここでは、図２中右側の行目盛部２３においては上方から下方に向かって１から１０までの数字が順番に表示されている。図２中左側の行目盛部２４においては、下方から上方に向かって１から１０までの数字が順番に表示されている。図２中上方の列目盛部２５においては右側から左側に向かって１から１０までの数字が順番に表示されている。図２中下方の列目盛部２６においては、左側から右側に向かって１から１０までの数字が順番に表示されている。すなわち、対向する目盛部同士で数字の順序が逆方向になっているとともに、図２中左下及び右上に若い数字が配置され、右下及び左上に大きい数字が配置されている。
【００１５】
数字を指定可能な数字指定機構２７は、右側の行目盛部２４の隣において縦方向に延びるレール部２８と、レール部に嵌合して行目盛部２４の上を縦方向に摺動可能であって、開口２９ａが形成された指示部２９とを備えて構成されている。この開口２９ａに行目盛部２４のうちのいずれかの数字が配置される。使用者が手動により指示部２９をレール部２８に沿って縦方向に摺動させることにより位置を変更することができ、開口２９ａに配置される数字を任意に選択することが可能となっている。使用者は、複数枚の集合シート１０を重ねて配置した場合に、この数字指定機構２７により、重ねた集合シート１０の枚数を指定することにより、適切な計測をすることができる。
【００１６】
集合シート１０をプレート部２１に載置した状態を図５に示す。このとき、規制部材２２により集合シート１０の位置が規制され、一端側の端部に沿って配置することが可能となる。この状態で、プレート部を一目見ると、使用により一部が切りかかれて変形した集合シート１０におけるシート片１１の行数と列数とをそれぞれ行目盛部２３、２４と、列目盛部２５，２６から知ることができる。したがってシート片１１の枚数を迅速かつ容易に計測することができる。
【００１７】
本実施形態に係る媒体数計測装置２０によれば、以下のような効果を奏する。すなわち、プレート部を一目見るだけで、集合シート１０におけるシート片１１の行数と列数とをそれぞれ行目盛部２３、２４と、列目盛部２５，２６から知ることができる。したがってシート片１１の枚数を迅速かつ容易に計測することができる。なお、シート片１１の使用により集合シート１０が不規則に切りかかれて変形した場合であっても、切欠きの部分を差し引くことで容易かつ正確に計測することが可能である。
【００１８】
また、プレート部２１に目盛を表示するだけの単純な構成であるため安価で製造することができる。
【００１９】
さらに、数字指定機構２７を設けたことにより、複数枚の集合シート１０が重ねられた場合にもすぐに枚数を知ることができるため、より適切かつ容易に計測できる。この数字指定機構２７では元々設けられた目盛部の数字を用いたことにより装置の小型化及び単純化を図れる。
【００２０】
対向する２つの目盛部２３，２４、及び２５，２６において表示される数字の順序を逆方向としたので、集合シート１０の形状に応じていずれの端部を基準としても計測が可能である。したがってより正確かつ迅速な計測することができる。
【００２１】
［第２実施形態］
以下に、本発明の第２実施形態にかかる集合シート３０について図６を参照して説明する。
【００２２】
集合シート３０は、複数のシート状の矩形のシート片３１が縦方向及び横方向にマトリクス状に並列するとともに、横方向の両端において縦方向に数字が並列して表示された行目盛部３３，３４と縦方向の両端において、横方向に数字が並列して表示された列目盛部３５，３６とが一体となってシート状に構成されている。
【００２３】
シート片３１は、上記第１実施形態のシート片１１と同様であり、例えば切手や印紙等である。隣り合うシート片３１同士は分離線３２を介して接続されている。すなわち縦方向及び横方向にそれぞれ複数の分離線３２が形成されている。この分離線３２は例えば多数の切り込みが破線状に連なって形成され、この部分を境界として使用者が集合シート１０を手で破ることによりシート片３１毎に切り離すことが可能となっている。したがって、使用の度にシート片３１を切り離すことにより集合シート３０の一部が切り欠かれ、集合シート３０の外形は変形する。
【００２４】
集合シート３０の周縁の行目盛部３３，３４、及び列目盛部３５，３６は、それぞれシート片３１よりも外周側に配置されて、一端側から他端側に向かって、シート片３１の形状に応じた所定の間隔で、所定の数までの数字が順番に記載されている。行目盛部３３，３４によりシート片３１の行数がわかり、列目盛部２５，２６によりシート片３１の列数がわかるようになっている。
【００２５】
ここでは、図６中右側の行目盛部３３においては上方から下方に向かって１から１０までの数字が順番に表示されている。図６中左側の行目盛部３４においては、下方から上方に向かって１から１０までの数字が順番に表示されている。図６中上方の列目盛部３５においては右側から左側に向かって１から１０までの数字が順番に表示されている。図６中下方３６の列目盛部においては、左側から右側に向かって１から１０までの数字が順番に表示されている。すなわち、対向する目盛部同士で数字の順序が逆方向になっているとともに、図６中左下及び右上に若い数字が配置され、右下及び左上に大きい数字が配置されている。
【００２６】
なお、行目盛部３３,３４及び列目盛部３５,３６はそれぞれシート状の集合シート３０の周縁部に数字が表示されて構成されているが、分離線３２により数字毎に分割可能になっている。すなわち、使用者が分離線３２を境に破ることにより任意の数字の部分を切り取ることが可能となっている。この切り取り可能な目盛部が数字指定機構３７として機能する。すなわち、使用者は、複数枚の集合シート３０を重ねて配置した場合に、この数字指定機構３７により、重ねた集合シート３０の枚数に対応する数字の部分を切り取り、数字指定をすることにより、適切な計測をすることができる。例えば図６に示す状態では、一番下に配置された集合シート３０では目盛部３４が切り取られていないが、下から２番目に配置された集合シート３０では目盛部３４のうち２の数字が切り欠かれ、３枚目、４枚目、５枚目の集合シート３０において、数字の３，４，５の部分がそれぞれ切りかかれている。
【００２７】
このようにすることで、計測の度に枚数を数えなくても一目で枚数を知ることができ、適切かつ迅速な計測が可能となる。
【００２８】
本実施形態にかかる集合シート３０によれば、上述した第１実施形態にかかる媒体数計測装置２０と同様の効果が得られる。すなわち、集合シート３０そのものを一目みるだけで、集合シート１０におけるシート片３１の行数と列数とを、それぞれ行目盛部３３、３４と、列目盛部３５，３６から、容易に知ることができる。したがってシート片３１の枚数を迅速かつ容易に計測することができる。なお、シート片３１の使用により集合シート３０が不規則に切りかかれて変形した場合であっても、切欠きの部分を差し引くことで容易かつ正確に計測することが可能である。
【００２９】
さらに、数字指定機構３７として、数字毎に切り離し可能としたことにより、複数枚の集合シート３０が重ねられた場合にもすぐに枚数を知ることができるため、より適切かつ容易に計測できる。この数字指定機構３７では、目盛部３４の数字を用いたので、集合シート３０の小型化及び単純化を図れる。
【００３０】
対向する２つの目盛部３３，３４、及び３５，３６において表示される数字の順序を逆方向としたので、集合シート３０の形状に応じていずれの端部を基準としても計測が可能である。したがってより正確かつ迅速な計測が可能となる。
【００３１】
なお本発明を実施するにあたり、この発明の構成要素を発明の要旨を逸脱しない範囲で各部材の具体的な形状等を種々に変更して実施できることは言うまでもない。例えば、上記実施形態では、縦方向及び横方向においていずれも両端に目盛部を設けたが、これに限らず一方側のみに設ける構成としてもよい。また表示される数字も上記実施形態に限られるものではない。また、第２実施形態の集合シート３０を第１実施形態の媒体数計測装置２０で計測する対象として用いても良い。すなわち、図７に示すように、第２実施形態の集合シート３０が載置部位２１ｃに配置される。この場合にはプレート部２１の外周は一回り大きく構成され、プレート部２１の目盛部２３〜２６と集合シート３０の目盛部３３〜３６が両方並列することとなる。例えば図７においては４枚の集合シート３０が重ねられている状態であり、数字指定機構２７，３７において数字の４が指定されている。
【００３２】
さらに、本発明を実施するにあたり、上記実施形態の複数の構成要素を適宜組み合わせてもよい。また、実施形態に示される全構成要素から幾つかの構成要素を削除してもよく、異なる実施形態にわたる構成要素を適宜組み合わせてもよい。
以下に、本願出願の当初の特許請求の範囲に記載された発明を付記する。
（１）
計測の対象となる複数のシート片が縦方向及び横方向に並列されて一体にシート状に構成された集合シートが載置されるプレート部と、
前記プレート部上の前記集合シートが載置される載置部位の前記縦方向における端部近傍に配され、前記横方向の前記シート片の列数を示す列目盛表示部と、
前記載置部位の前記横方向における端部に配され、前記縦方向の前記シート片の行数を示す行目盛表示部と、を備えたことを特徴とする媒体数計測装置。
（２）
前記プレート部上の前記載置部位の端縁において上方向に突出して形成され、前記シート集合体の位置を規制する規制部材を備えたことを特徴とする（１）記載の媒体数計測装置。
（３）
複数の数字を表示する数字表示部と、前記数字表示部のいずれかの数字を選択指定する数字指定機構とを有する数字指定部と、を備えたことを特徴とする（１）または（２）記載の媒体数計測装置。
（４）
前記数字表示部は、前記行目盛表示部または前記列目盛表示部であって、前記数字指定機構は、前記行目盛表示部または前記列目盛表示部に表示された数字のいずれかを指示することを特徴とする（３）記載の媒体数計測装置。
（５）
前記載置部位は矩形状を成し、
前記目盛表示部は、前記載置部位の、一対の縦方向の端縁及び一対の横方向の端縁にそれぞれ形成されたことを特徴とする（１）記載の媒体数計測装置。
（６）
前記集合シートは、前記シート片毎に切り離し可能であり、前記切り離しによりその外形が変形することを特徴とする（１）乃至（５）の何れかに記載の媒体数計測装置。
（７）
計測の対象となる複数のシート片が縦方向及び横方向に並列されて一体にシート状に構成され、
前記シート片よりも外周側であって、前記縦方向における端縁部分に、横方向のシート片の列数を示す目盛部が設けられるとともに、前記シート片よりも外周側であって、前記横方向における端縁部分に、横方向のシート片の行数を示す目盛部が設けられていることを特徴とする集合シート。
（８）
前記シート片より外周側に所定の複数の数字が表示された目盛部を有し、
前記シート片毎に切り離し可能であるとともに、前記目盛部は前記数字毎に切り離し可能に構成されたことを特徴とする（７）記載の集合シート。
（９）
前記シート片が、縦方向及び横方向にマトリクス状に一体に並列されて、矩形状のシート形状を成すとともに、その外形周縁の一対の縦方向の端縁及び一対の横方向の端縁に、それぞれ前記目盛部が形成されていることを特徴とする（７）または（８）記載の集合シート。
（１０）
前記集合シートは、前記シート片毎に切り離し可能であり、前記切り離しによりその外形が変形することを特徴とする（７）乃至（９）の何れかに記載の集合シート。
（１１）
（３）に記載の媒体数計測装置における前記プレート部に、複数枚の前記集合シートを重ねて載置する工程と、
前記数字指示部を操作して重ねた前記集合シートの枚数に応じた数字を指示する工程と、を有することを特徴とする媒体数計測方法。
【図面の簡単な説明】
【００３３】
【図１】本発明の第１実施形態に係る集合シートを示す平面図。
【図２】本発明の第１実施形態に係る媒体数計測装置の平面図。
【図３】同媒体数計測装置の側面図。
【図４】同媒体数計測装置の側面図。
【図５】同媒体数計測装置の、集合シートが設置された状態の平面図。
【図６】本発明の第２実施形態に係る集合シートの平面図。
【図７】本発明の他の実施形態に係る集合シート及び媒体数計測装置の平面図。
【符号の説明】
【００３４】
１０…集合シート、１１…シート片、１２…分離線、２０…媒体数計測装置、
２１…プレート部、２１ａ…境界線、２１ｂ…上面、２１ｃ…載置部位、
２２…規制部材、２２ａ…テーパ面、２３．２４…行目盛部、２５．２６…列目盛部、
２７…数字指定機構、３０…集合シート、３１…シート片、３２…分離線、
３３．３４…行目盛部、３５．３６…列目盛部、３７…数字指定機構。
【図１】
0005073514.tif 000002
【図２】
0005073514.tif 000003
【図３】
0005073514.tif 000004
【図４】
0005073514.tif 000005
【図５】
0005073514.tif 000006
【図６】
0005073514.tif 000007
【図７】
0005073514.tif 000008